(57)【要約】【課題】落下時等の衝撃から縦型掃除機、特にノズル部の前部近傍の損傷を防止することが出来る縦型掃除機用梱包装置を提供する。【解決手段】下方にモーター室２を有する本体部３と本体部３の下方に傾動自在に取り付けられたノズル部４とで構成された縦型掃除機本体１と、本体部に着脱自在に取り付けられるハンドル５と、縦型掃除機本体１の上端部及びハンドル５の位置決めと保護をする第１パットと、上下の挟み込みによりノズルの位置決めと保護をする第２パット上１５と第２パット下１６を備え、箱体９の内面とノズル部先端前面２２及びノズル部先端近傍両側面２４に１５ｍｍ以上の空間を確保することで、落下時等により衝撃が加わった場合にも、強度の低いノズル部４の前部近傍への衝撃の伝達を防止することが可能となり、ノズル部４の前部近傍の損傷を防止出来る。【選択図】図１
2006327643.tif 000002
【特許請求の範囲】
【請求項１】
下方にモーターを内蔵するモーター室と上方に集塵室を有する本体部と前記本体部の下方に傾動自在に取り付けられたノズル部とで構成された縦型掃除機本体と、前記縦型掃除機本体とハンドルを収容する箱体と、前記箱体の内面に沿って挿入され前記縦型掃除機本体の上端部の位置決めと保護をすると共にハンドル収容部を有しハンドルの一端の位置決めと保護をする第１パットと、箱体の内面に沿って挿入され前記ノズル部の位置決めと保護をする第２パットを備え、ノズル部先端前面とノズル部先端前面と対向する箱体の内面との間及びノズル部先端近傍両側面とノズル部先端近傍両側面と対向する箱体の内面との間に第２パットを配さず、所定以上の空間を確保するようにした縦型掃除機用梱包装置。
【請求項２】
縦型掃除機本体を水平方向で左右に傾斜させて梱包した請求項１記載の縦型掃除機用梱包装置。
【請求項３】
ノズル部を垂直方向で上下に傾斜させて梱包した請求項１または２記載の縦型掃除機用梱包装置。
【請求項４】
第１パットを段ボールで形成し、第２パットを発泡スチロールで形成した請求項１〜３のいずれか１項に記載の縦型掃除機用梱包装置。
【請求項５】
縦型掃除機本体を収容時に最前端となるモーター室の底面を第２パットに当接させ前後方向の移動を規制した請求項１〜４のいずれか１項に記載の縦型掃除機用梱包装置。
【請求項６】
第２パットを上下２分割の第２パット上と第２パット下で構成し、第２パット下の発泡倍率を第２パット上よりも低いもので形成した請求項１〜５のいずれか１項に記載の縦型掃除機用梱包装置。
【請求項７】
第２パット下に電源コードのプラグ収容部を形成し、第２パット上と第２パット下で挟み込む構成とした請求項１〜６のいずれか１項に記載の縦型掃除機用梱包装置。
【請求項８】
第２パットを段ボールで形成すると共に、箱体に縦型掃除機本体を収容時に最前端となるモーター室の底面及び後面を保持するように略Ｌ字状の発泡スチロールを第２パットもしくは箱体に固定した請求項１、２、４記載の縦型掃除機用梱包装置。
【請求項９】
集塵室とノズル部には、一端が接続パイプを介して集塵室に着脱自在に連通され他端が先端パイプを介してノズル部に着脱自在に連通されるホースを備え、先端パイプはノズル部に接続したままで、接続パイプのみ本体部から離脱し、第１パットと箱体に挟持させた請求項１〜８のいずれか１項に記載の縦型掃除機用梱包装置。
【請求項１０】
離脱した接続パイプを袋状の保護材で覆い、伸縮自在なホースのジャバラ間に挟み込み保持した請求項１〜９のいずれか１項に記載の縦型掃除機用梱包装置。
【発明の詳細な説明】
【技術分野】
【０００１】
本発明は、縦型掃除機用梱包装置に関するもので、落下時等の衝撃から縦型掃除機、特にノズル部の損傷を防止する梱包形態に関するものである。
【背景技術】
【０００２】
従来の縦型掃除機では、縦型掃除機本体とハンドルとを収容する段ボール製の箱体と、箱体の内面に沿って縦型掃除機本体の傾動自在なノズル部を覆う上下左右及び前の各壁と前部の左右両上隅部からノズル部の前部の左右両上隅部に折り込まれる押さえ部と下壁から折り上げられた位置決め片とを有する段ボール製の第１パットと、第１パット内でノズル部の下前側に挿入され、位置決め片によって位置決めされる段ボール製の第２パットと、箱体内後部で縦型掃除機本体のハンドル取付部を箱体の後壁の全面にわたって覆う後壁とハンドル取付部の左右両側に当接される折曲片とハンドルの一端を位置決めするハンドル保持溝とを有する段ボール製の第３パットと、第１パットの前壁、右又は左の側壁及び押さえ部とノズル部との間に挿入されて位置決めされる段ボール製の第４パットとを備えており、縦型掃除機本体は箱体の縦長底面と平行に収納され、ノズル部の前部と前部の左右両隅部は第１パットの前壁及び第４パットで当接保持し、ノズル部の下部は第２パットで当接保持することで、落下時等の衝撃から縦型掃除機、特にノズル部の損傷を防止することを実現している（例えば、特許文献１参照）。
【特許文献１】特開平８−９１３５５号公報
【発明の開示】
【発明が解決しようとする課題】
【０００３】
しかし、従来の縦型掃除機の梱包形態では、ノズル部の前部と前部の左右両隅部を第１パットと第４パットで当接保持しており、底面に吸込口を有し強度の低いノズル部の前部近傍に対し、梱包状態で落下、特に落下条件の厳しい角や稜線落下において、近年の高入力化競争に伴うモーターの大型化から縦型掃除機の質量が増加傾向となる中で、衝撃が直接的にノズル部に伝達され易く、ノズル部の前部近傍の損傷を防止し難くなってきた。
【０００４】
また、前述のように縦型掃除機の質量が増加傾向となる中で、傾動自在なノズル部の下部を第２パットで当接保持しているものの、縦型掃除機本体で質量が集中しているモーター室近傍で上下方向を保持出来ていないため、あらゆる方向での落下時等の衝撃が縦型掃除機本体に加わった時に、縦型掃除機本体の移動を確実に抑え、ノズル部の前部近傍の損傷を防止し難くなってきた。
【０００５】
本発明は、前記従来の課題を解決するもので、落下時等の衝撃から縦型掃除機本体、特にノズル部の前部近傍の損傷を防止することが出来る縦型掃除機用梱包装置を提供する事を目的とする。
【課題を解決するための手段】
【０００６】
前記従来の課題を解決するために、下方にモーターを内蔵するモーター室と上方に集塵室を有する本体部と前記本体部の下方に傾動自在に取り付けられたノズル部とで構成された縦型掃除機本体と、前記縦型掃除機本体とハンドルを収容する箱体と、前記箱体の内面に沿って挿入され前記縦型掃除機本体の上端部の位置決めと保護をすると共にハンドル収容部を有しハンドルの一端の位置決めと保護をする第１パットと、箱体の内面に沿って挿入され前記ノズル部の位置決めと保護をする第２パットを備え、ノズル部先端前面とノズル部先端前面と対向する箱体の内面との間及びノズル部先端近傍両側面とノズル部先端近傍両側面と対向する箱体の内面との間に第２パットを配さず、所定（１５ｍｍ）以上の空間を確保するもので、落下時等により衝撃が加わった場合にも、衝撃が強度の低いノズル部の前部近傍に伝達することを防止でき、ノズル部の前部近傍の損傷を防止出来る。
【発明の効果】
【０００７】
本発明の縦電気掃除機用梱包装置は、落下時等の衝撃から縦型掃除機、特にノズル部の前部近傍の損傷を防止することが出来る。
【発明を実施するための最良の形態】
【０００８】
第１の発明は、下方にモーターを内蔵するモーター室と上方に集塵室を有する本体部と前記本体部の下方に傾動自在に取り付けられたノズル部とで構成された縦型掃除機本体と、前記縦型掃除機本体とハンドルを収容する箱体と、前記箱体の内面に沿って挿入され前記縦型掃除機本体の上端部の位置決めと保護をすると共にハンドル収容部を有しハンドルの一端の位置決めと保護をする第１パットと、箱体の内面に沿って挿入され前記ノズル部の位置決めと保護をする第２パットを備え、ノズル部先端前面とノズル部先端前面と対向する箱体の内面との間及びノズル部先端近傍両側面とノズル部先端近傍両側面と対向する箱体の内面との間に第２パットを配さず、所定（１５ｍｍ）以上の空間を確保するもので、落下時等により衝撃が加わった場合にも、衝撃が強度の低いノズル部の前部近傍に伝達することを防止出来き、ノズル部の前部近傍の損傷を防止出来る。
【０００９】
第２の発明は、特に第１の発明の縦型掃除機本体を水平方向で左右に傾斜させて梱包するもので、ノズル部の前部近傍とノズル部の前部近傍に対向する箱体の各内面で形成される箱体の各角との空間を拡大することが可能となり、条件の最も厳しい角落下に対して、ノズル部先端近傍両側面の損傷を防止出来る。
【００１０】
第３の発明は、特に第１〜２のいずれか１つの発明のノズル部を垂直方向で上下に傾斜させて梱包するもので、ノズル部の前部近傍とノズル部の前部近傍に対向する箱体の各内面で形成される箱体の各角及び各稜線の空間を拡大することが可能となり、条件の厳しい角及び稜線落下に対して、ノズル部先端前面とノズル部先端近傍両側面の損傷を防止出来る。
【００１１】
第４の発明は、特に第１〜３のいずれか１つの発明の第１パットを段ボールで形成し、第２パットを発泡スチロールで形成するもので、縦型掃除機の中で質量の集中するノズル部側のみ変形のし難く縦型掃除機の外観に傷付きを発生させ難い発泡スチロールのパットで保護することで、衝撃による掃除機本体の移動による損傷を防止しつつ、産業排気物としての廃却処理時の環境汚染度も低減することが出来る。
【００１２】
第５の発明は、特に第１〜４のいずれか１つの発明の縦型掃除機本体を収容時に最前端となるモーター室の底面を第２パットに当接させ前後方向の移動を規制するもので、落下等で衝撃が加わった場合に、質量集中により最も移動し易い場所を当接保持することで、縦型掃除機本体の移動を最少限にし、ノズル部の前部近傍の損傷を防止出来る。
【００１３】
第６の発明は、特に第１〜５のいずれか１つの発明の第２パットを上下２分割の第２パット上と第２パット下で構成し、第２パット下の発泡倍率を第２パット上よりも低いもので形成するもので、最も落下可能性の高い箱体の底面又は前面落下により衝撃が加わった場合に、落下面側のみ変形のし難い硬度のあるパットを設けることで、コストＵＰを最少限にしつつノズル部の移動により発生する損傷を防止出来る。特に質量集中し衝撃により移動し易い一方で強度のあるモーター室の底面を硬度のある第２パットで当接保持することは、縦型掃除機本体の移動を最少限にすることが出来、ノズル部の前面近傍の損傷防止に効果的である。
【００１４】
第７の発明は、特に第１〜６のいずれか１つの発明の第２パット下に電源コードのプラグ収容部を形成し、第２パット上と第２パット下で挟み込む構成とするもので、第２パット下の空きスペースを有効活用出来ると共に、プラグの確実な位置規制とプラグ周囲を確実に保護することで、衝撃により変形し易いプラグの先刃を確実に保護することが出来る。
【００１５】
第８の発明は、特に第１〜２、４のいずれか１つの発明の第２パットを段ボールで形成すると共に、箱理時の環体に縦型掃除機本体を収容時に最前端となるモーター室の底面及び後面を保持するように略Ｌ字状の発泡スチロールを第２パットもしくは箱体に固定するもので、縦型掃除機の中で質量の集中するモーター室近傍のみ変形のし難い発泡スチロールのパットで保護することで、衝撃による掃除機本体の移動による損傷を防止しつつ、産業排気物としての廃却処境汚染度も低減することが出来る。
【００１６】
第９の発明は、特に第１〜８のいずれか１つの発明の集塵室とノズル部には、一端が接続パイプを介して集塵室に着脱自在に連通され他端が先端パイプを介してノズル部に着脱自在に連通されるホースを備え、先端パイプはノズル部に接続したままで、接続パイプのみ本体部から離脱し、第１パットと箱体に挟持させるもので、縦型掃除機では伸縮自在なホースを本体に巻き付け保持し、梱包時にもホースはかなり湾曲させて梱包するのが通常である。このような梱包状態で高温下で長期保管された場合などは、ホースにクセが付いてしまう場合があり、使用者の使用性を低下させてしまう可能性があるが、着脱自在な接続パイプのみを離脱し梱包することで、このような不具合を防止出来る。
【００１７】
第１０の発明は、特に第１〜９のいずれか１つの発明の離脱した接続パイプを袋状の保護材で覆い、伸縮自在なホースのジャバラ間に挟み込み保持したもので、衝撃や振動による接続パイプの損傷を防止出来ると共に、保護材固定用の追加テープ等が不要となり、安価に実現出来る。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における縦型掃除機用梱包装置の全体斜視図で、図２は、同縦型掃除機用梱包装置の上面図、図３は、図２のＡ−Ａ断面図、図４は、同縦型掃除機用梱包装置の要部拡大図、図５は、図２のＢ−Ｂ断面図、図６は保護材の固定方法説明用の要部拡大図である。
【００２０】
図１において、１は、縦型掃除機本体で、上方はモーター室２を有する本体部３と下方は本体部３に傾動自在に固定されたノズル部４で構成されている。
【００２１】
５は、ハンドルで、本体部３のハンドル取付部６に着脱自在に取り付けられるが、梱包時には離脱され、段ボール製の第１パット７のハンドル保持溝８にその一端を挿入保持された状態で段ボール製の箱体９に収容される。本体部３の上方は、ハンドル取付部６が第１パット７の本体保持口１０に挿入保持された状態で箱体９に収容される。伸縮自在のホース１１の一端に接続された接続パイプ１２は縦型掃除機本体１から離脱され第１パット７の接続パイプ保持部１３に挿入され、他端に接続された先端パイプ１４はノズル部４に接続された状態で箱体９に収容される。
【００２２】
１５は、第２パット上で、１６は第２パット下で、共に発泡スチロールで形成されており、ノズル部４は第２パット下１６の上面１７と当接する位置まで傾動した状態で箱体９に収容され、この時第２パット下１６の前移動規制部１８は収容時に最前端となるモーター室２の底面１９と当接するようになっている。
【００２３】
ここで、第２パット下１６は発泡倍率３０倍、第２パット上１５は発泡倍率５０倍で形成されている。
【００２４】
２０は、第２パット下１６に設けた電源コードのプラグ収容部２０であり、プラグ収容部２０にプラグ２１を挿入後、第２パット上１５でプラグ２１を挟持するように箱体９に収容される。
【００２５】
図２において、縦型掃除機本体１は、箱体９に対して、水平方向で左右に傾斜させて梱包されており、ノズル部先端前面２２とノズル部先端前面２２と対向する箱体９の前壁内壁２３との間及びノズル部先端近傍両側面２４とノズル部先端近傍両側面２４と対向する箱体９の側壁内面２５との間に第２パット上１５と第２パット下１６を配さず、１５ｍｍ以上の空間を確保している一方で、ノズル部４の左右規制として、第２パット上１５と第２パット下１６に設けた左右移動規制部２７を設けている。
【００２６】
図３〜４において、ノズル部４は、箱体９に対して、垂直方向で上下に傾斜させて梱包しており、ノズル部４の前移動規制として、収容時に最前端となるモーター室２の底面１９と当接するように第２パット下１６に前移動規制部１８を設けていると共に、ノズル部４の下移動規制として、収容時に最前下端となるモーター室２の背面２８と当接するように第２パット下１６に下移動規制部２９を設け、ノズル部４の上移動規制として、収容時に最前上端となるモーター室２の前面３０と当接するように第２パット上１５に上移動規制部３１を設けている。
【００２７】
図５〜６において、離脱された接続パイプ１２は、袋状の保護材３２で覆われており、保護材３２の開口端３３は、伸縮自在のホース１１のジャバラ間に挟み込み保持されている。
【００２８】
上記構成を備えた縦型掃除機用梱包装置の動作、作用は以下の通りである。
【００２９】
縦型掃除機が生産工場で生産され、使用者の手元に届くまでには、運搬時の衝撃や振動が加わるだけでなく、落下による衝撃が加わったり、高温下で長期間保管されることがあるが、特に衝撃に弱いノズル部４は、発泡スチロールで形成された第２パット上１５と第２パット下１６の前移動規制部１８、上移動規制部３１、下移動規制部２９で移動規制がされ、使用者の手元まで損傷なく運搬さる一方で、特に軟体で変形し易いホース１１は、接続パイプ１２を本体部３から離脱し極力湾曲させることなく梱包され、使用者の手元まで変形なく運搬される。
【００３０】
このように、本実施の形態によれば、箱体９とノズル部先端前面２２とノズル部先端近傍両側面２４との間に１５ｍｍ以上の空間を設けており、ノズル部４を左右方向と上下方向に傾斜させて梱包していると同時に、硬度のある第２パット下１６で質量集中により移動の起点となるモーター室２の底面１９を当接保持しているので、箱体９の前面を形成する各角と各稜線での落下による衝撃に対しても、箱体９の前面を形成する各角と各稜線からノズル部の前部近傍との距離を必要最低限確保出来ると同時に、縦型掃除機本体１の前移動を極力防止することが可能であり、近年の縦型掃除機が質量増加傾向にある中でも、底面に吸込口３４を有し、強度の低いノズル部４の前部近傍の損傷を防止出来る。
【００３１】
また、質量集中しているノズル部４側のみを発泡スチロール製の緩衝材を使用し、質量のあまりない本体部上方は段ボール製の緩衝材を使用することで、製品の損傷防止と環境汚染低減が実現出来る。
【００３２】
また、電源コードを本体部３に巻き付け保管するような縦型掃除機では、梱包時にプラグ２１の収容形態を考慮する必要があるが、第２パッキン下１６の空きスペースを利用し、第２パッキン上１５と第２パッキン下１６で挟持することで、変形し易いプラグ２１の先刃を確実に保護することが出来る。
【００３３】
さらに、本体部３とホース１１を着脱自在とし、梱包時には本体部３とホース１１を離脱し、ホース１１を極力湾曲させることなく梱包することで、軟体で変形し易いホース１１の変形を防止することが出来ると共に、その場合のホース１１の接続パイプ１２の保護手段として袋状の保護材３２を使用する際に、伸縮自在なホース１１の特徴を利用し、ホース１１のジャバラ間に保護材３２の開口部３３の一端を挟み込むことで、余分な保護材３２固定用のテープ等が不要となり、安価な梱包装置を提供出来る。
【００３４】
（実施の形態２）
図７は、本発明の第２の実施の形態における縦型掃除機用梱包装置の上面図、図８は、図７のＣ−Ｃ断面図である。
【００３５】
なお、上記実施の形態と同一部分については同一符号を付してその説明を省略する。
【００３６】
本実施の形態は、上記第１の実施の形態における第２パット３５を段ボール製のものを使用し、その代わりノズル部４の前移動と上下移動を規制する下前移動規制体３６と上移動規制体３７をそれぞれ箱体９と第２パット３５に接着固定するものである。
【００３７】
図７〜８において、３５は、段ボール製の第２パットで、３６は略Ｌ字状の下前移動規制体で、３７は上移動規制体であり、下前移動規制体３６と上移動規制体３７は、それぞれ箱体９の底面と第２パット３５の上フラップの裏面に接着固定されている。ここで、箱体９とノズル部先端前面２２とノズル部先端近傍両側面２４との間に１５ｍｍ以上の空間を設けている。また、下前移動規制体３６の略Ｌ字状部の一端は、収容時に最前端となるモーター室２の底面１９と当接するように設けていると共に、略Ｌ字状部の他端は、収容時に最前下端となるモーター室２の背面２８と当接するように設けており、上移動規制体３７は、収容時に最前上端となるモーター室２の前面３０と当接するように設けている。
【００３８】
また、ノズル部４の左右移動の規制として、段ボール製の第２パット３５のノズル部挿入部３８にノズル部４を挿入当接させている。
【００３９】
このように本実施の形態によれば、縦型掃除機本体１の中で質量の集中するモーター室２近傍のみ変形のし難い発泡スチロールの緩衝材で保護することで、衝撃による縦型掃除機本体１の移動による損傷を防止しつつ、産業排気物としての廃却処境汚染度も低減出来る。
【産業上の利用可能性】
【００４０】
以上のように、本発明にかかる縦型掃除機用梱包装置は、落下時等の衝撃から縦型掃除機、特にノズル部の前部近傍の損傷を防止出来るもので、各種梱包装置に適用できるものである。
【図面の簡単な説明】
【００４１】
【図１】本発明の実施の形態１における縦型掃除機用梱包装置の全体斜視図
【図２】同縦型掃除機用梱包装置の上面図
【図３】同縦型掃除機用梱包装置の要部断面図（図２のＡ−Ａ断面）
【図４】同縦型掃除機用梱包装置の要部拡大図
【図５】同縦型掃除機用梱包装置の要部断面図（図２のＢ−Ｂ断面）
【図６】保護材の固定方法説明用の要部拡大図
【図７】本発明の実施の形態２における縦型掃除機用梱包装置の上面図
【図８】同縦型掃除機用梱包装置の要部断面図（図７のＣ−Ｃ断面）
【符号の説明】
【００４２】
１  縦型掃除機本体
２  モーター室
３  本体部
４  ノズル部
７  第１パット
９  箱体
１５  第２パット上
１６  第２パット下
２２  ノズル部先端前面
２３  前壁内壁
２４  ノズル部先端近傍両側面
２５  側壁内面
２６  空間
２７  左右移動規制部
【図１】
2006327643.tif 000003
【図２】
2006327643.tif 000004
【図３】
2006327643.tif 000005
【図４】
2006327643.tif 000006
【図５】
2006327643.tif 000007
【図６】
2006327643.tif 000008
【図７】
2006327643.tif 000009
【図８】
2006327643.tif 000010